(57)【特許請求の範囲】
【請求項１】
所定数の物品を結束した結束帯を切断し、切断した結束帯を該物品から分離し、分離した結束帯を収納する結束帯処理装置において、
上記物品から分離した結束帯を収納する収納容器と、
上記物品から分離した結束帯を上記収納容器へ押込む押込部材と、
上記押込部材を結束帯を上記収納容器へ押込む方向へ移動し、収納容器へ結束帯を押し込んだ押込部材を上記押込む方向と交差する方向へ移動して収納容器から引き抜く移動手段と、
上記移動手段にて上記押込部材が移動されて上記収納容器から引き抜かれる際に、上記収納容器へ押込まれた結束帯に上記収納容器の一部を係合せしめて該収納容器から該結束帯が抜けることを規制する規制手段と、
を備えていることを特徴とする結束帯処理装置。
【請求項２】
所定数の物品を結束した結束帯を切断し、切断した結束帯を該物品から分離し、分離した結束帯を所定の収納待機位置へ配置し、該収納待機位置に配置された結束帯を収納する結束帯処理装置において、
上記収納待機位置に配置された結束帯の一側に設けられ、該結束帯を収納する収納容器と、
上記収納待機位置に配置された結束帯と略直交する方向に延び、該結束帯の他側で結束帯の略中央位置に対向した第１位置と該結束帯を収納容器へ押込んだ第２位置との間で移動可能に設けられた押込部材と、
上記押込部材を上記第１位置から第２位置へ移動して上記収納待機位置に配置された結束帯を上記収納容器へ押込み、この第２位置に配置された押込部材を上記押込む方向と交差する方向へ移動して収納容器から引き抜く移動手段と、
上記移動手段にて上記押込部材が上記収納容器から引き抜かれる際に、上記収納容器へ押込まれた結束帯に上記収納容器の一部を係合せしめて該収納容器から該結束帯が抜けることを規制する規制手段と、
を備えていることを特徴とする結束帯処理装置。
【請求項３】
所定数の物品を結束した結束帯を切断し、切断した結束帯を該物品から分離し、分離した結束帯を所定の収納待機位置へ第１方向に延びて配置し、該収納待機位置に配置された結束帯を収納する結束帯処理装置において、
上記収納待機位置に配置された結束帯の一側に対向して設けられた該結束帯を収納するための収納容器であって、収納待機位置に配置された結束帯に対向して配置され上記第１方向と略直交する第２方向に延びた第１のスリットを有する第１壁、およびこの第１壁と略直交して設けられ、上記第１方向および第２方向と略直交する第３方向に延び上記第１のスリットと連続した第２のスリットを有する第２壁を備え、上記第２壁は上記第１のスリットから離れた上記第２のスリットの端部に上記第１方向に沿って一方向に延びた切り欠きを有する収納容器と、
上記第２方向に延びて配置され、上記第１および第２のスリットに挿通可能且つ上記切り欠きに対して入れ子状態となる板状に形成され、上記収納待機位置に配置された結束帯の他側で該結束帯の略中央位置に対向した第１位置と該結束帯を上記第１および第２のスリットを介して上記収納容器へ押込んだ第２位置との間で移動可能に設けられた押込部材と、
上記押込部材を上記第１位置から第２位置へ移動して上記収納待機位置に配置された結束帯を上記収納容器へ押込み、この第２位置に配置された押込部材を上記第２方向に移動して収納容器から引き抜く移動手段と、
上記第２位置に配置された上記押込部材と上記収納容器とを上記第１方向に沿って相対的に移動して押込部材を上記切り欠き内に入れ子状態で収容し、上記移動手段にて上記押込部材が上記収納容器から引き抜かれる際に、上記第２壁により、上記収納容器に押込まれた結束帯の移動を規制し、該結束帯が該収納容器から抜けることを規制する規制手段と、
を備えていることを特徴とする結束帯処理装置。
【請求項４】
上記規制手段は、上記第２位置に配置された上記押込部材に対して上記収容容器を上記第１方向に沿って移動することにより、上記押込部材を切り欠き内に入れ子状態で収容することを特徴とする請求項３に記載の結束帯処理装置。
【請求項５】
所定数の物品を結束した結束帯を切断する切断手段と、
上記切断手段にて切断された結束帯を上記物品から分離する分離手段と、
上記分離手段にて分離された結束帯を収納する収納容器と、
上記分離手段にて分離された結束帯を上記収納容器へ押込む押込部材と、
上記押込部材を結束帯を上記収納容器へ押込む方向へ移動し、収納容器へ結束帯を押し込んだ押込部材を上記押込む方向と交差する方向へ移動して収納容器から引き抜く移動手段と、
上記移動手段にて上記押込部材が移動されて上記収納容器から引き抜かれる際に、上記収納容器へ押込まれた結束帯に上記収納容器の一部を係合せしめて該収納容器から該結束帯が抜けることを規制する規制手段と、
を備えていることを特徴とする結束帯処理装置。
【請求項６】
所定数の物品を結束した結束帯を切断する切断手段と、
上記切断手段にて切断された結束帯を上記物品から分離して所定の収納待機位置へ配置する分離手段と、
上記分離手段にて上記収納待機位置に配置された結束帯の一側に設けられ、該結束帯を収納する収納容器と、
上記収納待機位置に配置された結束帯と略直交する方向に延び、該結束帯の他側で結束帯の略中央位置に対向した第１位置と該結束帯を収納容器へ押込んだ第２位置との間で移動可能に設けられた押込部材と、
上記押込部材を上記第１位置から第２位置へ移動して上記収納待機位置に配置された結束帯を上記収納容器へ押込み、この第２位置に配置された押込部材を上記押込む方向と交差する方向へ移動して収納容器から引き抜く移動手段と、
上記移動手段にて上記押込部材が上記収納容器から引き抜かれる際に、上記収納容器へ押込まれた結束帯に上記収納容器の一部を係合せしめて該収納容器から該結束帯が抜けることを規制する規制手段と、
を備えていることを特徴とする結束帯処理装置。
【請求項７】
所定数の物品を結束した結束帯を切断する切断手段と、
上記切断手段にて切断された結束帯を上記物品から分離して所定の収納待機位置へ第１方向に延びて配置する分離手段と、
上記分離手段にて上記収納待機位置に配置された結束帯の一側に対向して設けられた該結束帯を収納するための収納容器であって、収納待機位置に配置された結束帯に対向して配置され上記第１方向と略直交する第２方向に延びた第１のスリットを有する第１壁、およびこの第１壁と略直交して設けられ、上記第１方向および第２方向と略直交する第３方向に延び上記第１のスリットと連続した第２のスリットを有する第２壁を備え、上記第２壁は上記第１のスリットから離れた上記第２のスリットの端部に上記第１方向に沿って一方向に延びた切り欠きを有する収納容器と、
上記第２方向に延びて配置され、上記第１および第２のスリットに挿通可能且つ上記切り欠きに対して入れ子状態となる板状に形成され、上記収納待機位置に配置された結束帯の他側で該結束帯の略中央位置に対向した第１位置と該結束帯を上記第１および第２のスリットを介して上記収納容器へ押込んだ第２位置との間で移動可能に設けられた押込部材と、
上記押込部材を上記第１位置から第２位置へ移動して上記収納待機位置に配置された結束帯を上記収納容器へ押込み、この第２位置に配置された押込部材を上記第２方向に移動して収納容器から引き抜く移動手段と、
上記第２位置に配置された上記押込部材と上記収納容器とを上記第１方向に沿って相対的に移動して押込部材を上記切り欠き内に入れ子状態で収容し、上記移動手段にて上記押込部材が上記収納容器から引き抜かれる際に、上記第２壁により、上記収納容器に押込まれた結束帯の移動を規制し、該結束帯が該収納容器から抜けることを規制する規制手段と、
を備えていることを特徴とする結束帯処理装置。
【請求項８】
上記規制手段は、上記第２位置に配置された上記押込部材に対して上記収容容器を上記第１方向に沿って移動することにより、上記押込部材を切り欠き内に入れ子状態で収容することを特徴とする請求項７に記載の結束帯処理装置。
【請求項９】
所定数の物品を結束した結束帯を切断し、切断した結束帯を該物品から分離し、分離した結束帯を収納容器へ収納する結束帯処理方法において、
上記物品から分離した結束帯を上記収納容器へ押込む押込部材を用意し、
上記収納容器へ結束帯を押込む方向へ上記押込部材を移動して、該結束帯を収納容器へ押込み、
上記収納容器に押込まれた結束帯を該収納容器の一部に係合せしめて該収納容器から該結束帯が抜けることを規制しつつ、収納容器へ押込まれた上記押込部材を上記押込む方向と交差する方向へ移動して収納容器から引き抜くことを特徴とする結束帯処理方法。
【請求項１０】
所定数の物品を結束した結束帯を切断し、切断した結束帯を該物品から分離し、分離した結束帯を所定の収納待機位置へ配置し、該収納待機位置に配置された結束帯の一側に設けられた収納容器へ該結束帯を収納する結束帯処理方法において、
上記収納待機位置に配置された結束帯と略直交する方向に延び、該結束帯の他側で結束帯の略中央位置に対向した第１位置と該結束帯を収納容器へ押込んだ第２位置との間で移動可能に設けられた押込部材を用意し、
上記押込部材を上記第１位置から上記第２位置へ移動して上記収納待機位置に配置された結束帯を上記収納容器へ押込み、
上記収納容器に押込まれた結束帯を該収納容器の一部に係合せしめて該収納容器から該結束帯が抜けることを規制しつつ、上記第２位置に配置された押込部材を上記押込む方向と交差する方向へ移動して収納容器から引き抜くことを特徴とする結束帯処理方法。
【発明の詳細な説明】
【０００１】
【発明の属する技術分野】
この発明は、所定枚数の紙葉類を結束した結束帯を切断し、切断した結束帯を紙葉類から分離し、分離した結束帯を収納する結束帯処理装置および結束帯処理方法に関する。
【０００２】
【従来の技術】
従来、複数枚の紙葉類を結束した結束帯を切断して所定の収納容器へ収納する結束帯処理装置として、結束帯を所定位置で切断するカッター、切断した結束帯を保持して紙葉類から分離する帯キャッチャ、分離した結束帯を収納する結束帯収納カセット、および帯キャッチャにより分離された結束帯を結束帯収納カセット内に押し込む押込板を有する装置が知られている。
【０００３】
結束帯収納カセットは、結束帯を伴う押込板を挿入させるスリットを有し、スリットの一側に結束帯を収納する収納部が設けられている。押込板は、結束帯の略中央位置を折り曲げるようにこの中央位置を下方に押し下げ、結束帯をスリット内に導くように作用する。
【０００４】
【発明が解決しようとする課題】
しかしながら、従来の結束帯処理装置においては、結束帯を結束帯収納カセット内に収納した後に押込板を上方へ引き抜く際に、一旦収納した結束帯を一緒に掻き出してしまう場合があり、この場合、掻き出された結束帯により結束帯処理装置が動作不能となる問題がある。
【０００５】
また、従来の結束帯処理装置においては、押込板にて結束帯を結束帯収納カセットのスリット内に押し込んだ後、押込板を上方に引き抜くため、スリット内における結束帯の収納状態が安定せず、規定枚数の結束帯を収納できない場合がある。
【０００６】
この発明は、以上の点に鑑みなされたもので、その目的は、紙葉類を結束した結束帯を確実且つ安定して除去できる結束帯処理装置および結束帯処理方法を提供することにある。
【０００７】
【課題を解決するための手段】
上記目的を達成するため、この発明に係る結束帯処理装置は、所定数の物品を結束した結束帯を切断し、切断した結束帯を該物品から分離し、分離した結束帯を収納する結束帯処理装置において、上記物品から分離した結束帯を収納する収納容器と、上記物品から分離した結束帯を上記収納容器へ押込む押込部材と、上記押込部材を結束帯を上記収納容器へ押込む方向へ移動し、収納容器へ結束帯を押し込んだ押込部材を上記押込む方向と交差する方向へ移動して収納容器から引き抜く移動手段と、上記移動手段にて上記押込部材が移動されて上記収納容器から引き抜かれる際に、上記収納容器へ押込まれた結束帯に上記収納容器の一部を係合せしめて該収納容器から該結束帯が抜けることを規制する規制手段と、を備えている。
【０００８】
また、この発明の結束帯処理装置は、所定数の物品を結束した結束帯を切断し、切断した結束帯を該物品から分離し、分離した結束帯を所定の収納待機位置へ配置し、該収納待機位置に配置された結束帯を収納する結束帯処理装置において、上記収納待機位置に配置された結束帯の一側に設けられ、該結束帯を収納する収納容器と、上記収納待機位置に配置された結束帯と略直交する方向に延び、該結束帯の他側で結束帯の略中央位置に対向した第１位置と該結束帯を収納容器へ押込んだ第２位置との間で移動可能に設けられた押込部材と、上記押込部材を上記第１位置から第２位置へ移動して上記収納待機位置に配置された結束帯を上記収納容器へ押込み、この第２位置に配置された押込部材を上記押込む方向と交差する方向へ移動して収納容器から引き抜く移動手段と、上記移動手段にて上記押込部材が上記収納容器から引き抜かれる際に、上記収納容器へ押込まれた結束帯に上記収納容器の一部を係合せしめて該収納容器から該結束帯が抜けることを規制する規制手段と、を備えている。
【０００９】
また、この発明の結束帯処理装置は、所定数の物品を結束した結束帯を切断し、切断した結束帯を該物品から分離し、分離した結束帯を所定の収納待機位置へ第１方向に延びて配置し、該収納待機位置に配置された結束帯を収納する結束帯処理装置において、上記収納待機位置に配置された結束帯の一側に対向して設けられた該結束帯を収納するための収納容器であって、収納待機位置に配置された結束帯に対向して配置され上記第１方向と略直交する第２方向に延びた第１のスリットを有する第１壁、およびこの第１壁と略直交して設けられ、上記第１方向および第２方向と略直交する第３方向に延び上記第１のスリットと連続した第２のスリットを有する第２壁を備え、上記第２壁は上記第１のスリットから離れた上記第２のスリットの端部に上記第１方向に沿って一方向に延びた切り欠きを有する収納容器と、上記第２方向に延びて配置され、上記第１および第２のスリットに挿通可能且つ上記切り欠きに対して入れ子状態となる板状に形成され、上記収納待機位置に配置された結束帯の他側で該結束帯の略中央位置に対向した第１位置と該結束帯を上記第１および第２のスリットを介して上記収納容器へ押込んだ第２位置との間で移動可能に設けられた押込部材と、上記押込部材を上記第１位置から第２位置へ移動して上記収納待機位置に配置された結束帯を上記収納容器へ押込み、この第２位置に配置された押込部材を上記第２方向に移動して収納容器から引き抜く移動手段と、上記第２位置に配置された上記押込部材と上記収納容器とを上記第１方向に沿って相対的に移動して押込部材を上記切り欠き内に入れ子状態で収容し、上記移動手段にて上記押込部材が上記収納容器から引き抜かれる際に、上記第２壁により、上記収納容器に押込まれた結束帯の移動を規制し、該結束帯が該収納容器から抜けることを規制する規制手段と、を備えている。
【００１０】
また、この発明の結束帯処理装置は、所定数の物品を結束した結束帯を切断する切断手段と、上記切断手段にて切断された結束帯を上記物品から分離する分離手段と、上記分離手段にて分離された結束帯を収納する収納容器と、上記分離手段にて分離された結束帯を上記収納容器へ押込む押込部材と、上記押込部材を結束帯を上記収納容器へ押込む方向へ移動し、収納容器へ結束帯を押し込んだ押込部材を上記押込む方向と交差する方向へ移動して収納容器から引き抜く移動手段と、上記移動手段にて上記押込部材が移動されて上記収納容器から引き抜かれる際に、上記収納容器へ押込まれた結束帯に上記収納容器の一部を係合せしめて該収納容器から該結束帯が抜けることを規制する規制手段と、を備えている。
【００１１】
また、この発明の結束帯処理装置は、所定数の物品を結束した結束帯を切断する切断手段と、上記切断手段にて切断された結束帯を上記物品から分離して所定の収納待機位置へ配置する分離手段と、上記分離手段にて上記収納待機位置に配置された結束帯の一側に設けられ、該結束帯を収納する収納容器と、上記収納待機位置に配置された結束帯と略直交する方向に延び、該結束帯の他側で結束帯の略中央位置に対向した第１位置と該結束帯を収納容器へ押込んだ第２位置との間で移動可能に設けられた押込部材と、上記押込部材を上記第１位置から第２位置へ移動して上記収納待機位置に配置された結束帯を上記収納容器へ押込み、この第２位置に配置された押込部材を上記押込む方向と交差する方向へ移動して収納容器から引き抜く移動手段と、上記移動手段にて上記押込部材が上記収納容器から引き抜かれる際に、上記収納容器へ押込まれた結束帯に上記収納容器の一部を係合せしめて該収納容器から該結束帯が抜けることを規制する規制手段と、を備えている。
【００１２】
また、この発明の結束帯処理装置は、所定数の物品を結束した結束帯を切断する切断手段と、上記切断手段にて切断された結束帯を上記物品から分離して所定の収納待機位置へ第１方向に延びて配置する分離手段と、上記分離手段にて上記収納待機位置に配置された結束帯の一側に対向して設けられた該結束帯を収納するための収納容器であって、収納待機位置に配置された結束帯に対向して配置され上記第１方向と略直交する第２方向に延びた第１のスリットを有する第１壁、およびこの第１壁と略直交して設けられ、上記第１方向および第２方向と略直交する第３方向に延び上記第１のスリットと連続した第２のスリットを有する第２壁を備え、上記第２壁は上記第１のスリットから離れた上記第２のスリットの端部に上記第１方向に沿って一方向に延びた切り欠きを有する収納容器と、上記第２方向に延びて配置され、上記第１および第２のスリットに挿通可能且つ上記切り欠きに対して入れ子状態となる板状に形成され、上記収納待機位置に配置された結束帯の他側で該結束帯の略中央位置に対向した第１位置と該結束帯を上記第１および第２のスリットを介して上記収納容器へ押込んだ第２位置との間で移動可能に設けられた押込部材と、上記押込部材を上記第１位置から第２位置へ移動して上記収納待機位置に配置された結束帯を上記収納容器へ押込み、この第２位置に配置された押込部材を上記第２方向に移動して収納容器から引き抜く移動手段と、上記第２位置に配置された上記押込部材と上記収納容器とを上記第１方向に沿って相対的に移動して押込部材を上記切り欠き内に入れ子状態で収容し、上記移動手段にて上記押込部材が上記収納容器から引き抜かれる際に、上記第２壁により、上記収納容器に押込まれた結束帯の移動を規制し、該結束帯が該収納容器から抜けることを規制する規制手段と、を備えている。
【００１３】
また、この発明によると、上記規制手段は、上記第２位置に配置された上記押込部材に対して上記収容容器を上記第１方向に沿って移動することにより、上記押込部材を切り欠き内に入れ子状態で収容する。
【００１４】
また、この発明の結束帯処理方法によると、所定数の物品を結束した結束帯を切断し、切断した結束帯を該物品から分離し、分離した結束帯を収納容器へ収納する結束帯処理方法において、上記物品から分離した結束帯を上記収納容器へ押込む押込部材を用意し、上記収納容器へ結束帯を押込む方向へ上記押込部材を移動して、該結束帯を収納容器へ押込み、上記収納容器に押込まれた結束帯を該収納容器の一部に係合せしめて該収納容器から該結束帯が抜けることを規制しつつ、収納容器へ押込まれた上記押込部材を上記押込む方向と交差する方向へ移動して収納容器から引き抜くことを特徴とする。
【００１５】
また、この発明の結束帯処理方法によると、所定数の物品を結束した結束帯を切断し、切断した結束帯を該物品から分離し、分離した結束帯を所定の収納待機位置へ配置し、該収納待機位置に配置された結束帯の一側に設けられた収納容器へ該結束帯を収納する結束帯処理方法において、上記収納待機位置に配置された結束帯と略直交する方向に延び、該結束帯の他側で結束帯の略中央位置に対向した第１位置と該結束帯を収納容器へ押込んだ第２位置との間で移動可能に設けられた押込部材を用意し、上記押込部材を上記第１位置から上記第２位置へ移動して上記収納待機位置に配置された結束帯を上記収納容器へ押込み、上記収納容器に押込まれた結束帯を該収納容器の一部に係合せしめて該収納容器から該結束帯が抜けることを規制しつつ、上記第２位置に配置された押込部材を上記押込む方向と交差する方向へ移動して収納容器から引き抜くことを特徴とする。
【００１６】
【発明の実施の形態】
以下、図面を参照しながらこの発明の実施の形態について詳細に説明する。
図１は、紙葉類を処理する処理装置１０の全体を概略的に示している。この処理装置１０は、紙葉類を一枚づつ検査し、その検査結果に基づいて良否を判別する紙葉類検査機に用いるものである。このような紙葉類検査機で検査される紙葉類には例えば、証券あるいは証書等が含まれ、このような紙葉類を以下の説明中では単に券とも称する。
【００１７】
一般に、このような紙葉類検査機は、紙葉類すなわち券を一枚づつ検査する検査装置（図示しない）を備えている。処理装置１０は、束Ｔの結束帯である大帯Ｋを紙葉類から除去、即ち破封処理し、更に、把ｔの施封帯である小帯ｋも破封処理した後に、検査装置に送込むための前処理を行うものである。そして、検査装置は、各券を一枚づつ検査し、その検査結果に基づいて、良券は再度利用に供するために返却され、不適券は廃棄処分される。
【００１８】
なお、この実施の形態では、券すなわち紙葉類を１００枚重ねたバラ積み状態の積層紙葉類を積層券ｔ′と称し、このような積層紙葉類を小帯ｋで施封した帯封紙葉類（物品）を把ｔと称し、このような帯封紙葉類すなわち把ｔを更に大帯Ｋ、例えば横帯Ｋ1 および縦帯Ｋ2 により十字状に結束した結束紙葉類を束Ｔと称している。また、この実施の形態では、結束紙葉類すなわち束Ｔは、それぞれ１０個の把ｔから形成されている。
【００１９】
図１に示すように、処理装置１０は、未検査券の束Ｔを取込む取込み部Ａと、この取込み部Ａから取込んだ束Ｔの大帯Ｋを切断して除去する大帯処理部Ｂ（後に詳述する）とを備え、この大帯処理部Ｂで大帯Ｋを除去された把ｔが１０個づつ、持ち変え部Ｃを介して待機部Ｄまで移送される。これらの把ｔは、更に、この待機部Ｄから切出し部Ｅに移動された後、この切出し部Ｅで１個づつ切出され、小帯検知部Ｆと小帯印字部Ｇと糊剥がし部Ｈと小帯処理部Ｉとを経た後、搬送部Ｊにより、各券を上下に積層したバラ積み状態の積層券ｔ′の状態で、検査装置が配置されている次の工程に送られ、検査される。
【００２０】
この処理装置１０に送られる未検査券は、予め多数の束Ｔとして図示しない束供給装置に搭載されており、束コンベア１２によりその積層方向に搬送され、束供給装置から取込み部Ａまで順に送られてくる。
【００２１】
未検査券の束Ｔを取込む取込み部Ａには、束供給装置から束コンベア１２に載置されて移送されてくる束Ｔを係止して、この取込み部Ａに一時的に保持するストッパ１４と、このストッパ１４で係止された束Ｔを大帯処理部Ｂに取込む束移動部材１６と、が配置されている。束コンベア１２は、束Ｔを図中矢印Ｘ方向に沿って移動し、束移動部材１６は、ストッパ１４で係止された束Ｔを移送方向Ｘに対して側方に押圧し、束Ｔを大帯処理部Ｂまで移動する。
【００２２】
この大帯処理部Ｂには、束Ｔの大帯Ｋを切断し、切断した大帯Ｋを保持するとともに紙葉類から分離し、分離した大帯Ｋを所定の収納位置へ収納するこの発明の結束帯処理装置としての後述する大帯処理装置が設けられている。
【００２３】
大帯処理装置にて大帯Ｋが切断除去されて結束解除された状態の１０個の把ｔ（以下、整列把と称する）は、図示しない送込み機構により、そのままの状態で、大帯処理部Ｂから持ち変え部Ｃに送込まれる。
【００２４】
持ち変え部Ｃには、大帯処理部Ｂから送込まれた整列把を挟持する一対の挟持部材２２、２２が配置されている。これらの各挟持部材２２、２２は、上下方向および水平方向に沿って移動することができ、券あるいは把ｔの長手方向の両端部を揃えた状態で、待機部Ｄに整列把を送込み、この後、持ち変え部Ｃに戻される。
【００２５】
また、切出し部Ｅには、上下方向に延設されて、下側の切出し部Ｅから上側の糊剥がし部Ｈに把ｔを１個づつ送込むリフトコンベア２４と、待機部Ｄに配置された整列把を切出し部Ｅに移送してこの整列把をリフトコンベア２４に押圧する押圧部材２６とが配置されている。
【００２６】
この実施の形態における押圧部材２６は、等間隔に配置された３本の直立する棒状部材を有し、上下方向および水平方向に沿って移動することができる。この押圧部材２６は、待機部Ｄから切出し部Ｅに整列把を移送した後、整列把の側面すなわち券の表面をリフトコンベア２４の方向に向けて均等な力で押圧する。リフトコンベア２４が把ｔを１個づつ切出すと、押圧部材２６が、この把ｔの厚さ分づつリフトコンベア２４に向けて移動する。このときの押圧部材２６の移動量を検出することにより、切出される把ｔの厚さが検知される。
【００２７】
リフトコンベア２４がそれぞれの把ｔの長辺側を上下方向に配置した状態で上方に移動する中間部位すなわち切出し部Ｅと糊剥し部Ｈとの間であり且つ切出し部Ｅに対向する位置に配設された小帯検知部Ｆには、各把ｔを施封した小帯ｋの位置を検出する適宜の検知器（図示しない）が配置されており、押圧部材２６にて整列把を押圧した時点で小帯ｋの位置を検出する。この検知器で検出した小帯の位置情報が小帯印字部Ｇのプリンタ２８に送られる。プリンタ２８は、検知器からの情報に基づいて印字ヘッダを小帯ｋまで移動し、所要の情報を印字する。
【００２８】
糊剥し部Ｈには、糊剥し処理を行う糊剥し装置３０が配置してあり、再度表面部を上下に向けて配置した状態の把ｔの糊剥し処理を行う。また、この糊剥し部Ｈの前方に配置された小帯処理部Ｉには、把ｔの小帯ｋを挟持するキャッチ部材３２と、図示しない湾曲機構により長手方向に沿って下方に湾曲変形された把ｔの小帯ｋを切断するカッタ機構と、キャッチ部材３２により挟持した後カッタ機構により切断された小帯を収容する小帯保管箱３３と、が配置されている。
【００２９】
そして、搬送部Ｊには、小帯処理部Ｉで小帯ｋを除去されて１００枚の券を上下方向に積層しただけの積層券ｔ′を、次の工程すなわち検査装置に送り出す図示しない搬送装置が配置されている。
【００３０】
次に、この発明の結束帯処理装置としての上述した大帯処理装置について詳細に説明する。
図２に示すように、大帯処理装置４０は、取込み部Ａから大帯処理部Ｂに取込まれた束Ｔを所定の切断位置で載置する載置部４１と、載置部４１にて切断位置に配置された束Ｔの大帯Ｋ（横帯Ｋ1 および縦帯Ｋ2 ）を切断する切断手段として作用する大帯切断機構４２と、切断した大帯Ｋを保持するとともにこの大帯Ｋを束Ｔから分離して所定の収納待機位置へ配置する分離手段として作用する大帯キャッチャ４４と、大帯キャッチャ４４により収納待機位置に配置された大帯Ｋを大帯収納カセット４５（収納容器）内に押し込んで収納する大帯押込収納機構４６と、を有している。
【００３１】
図３および図４は、大帯切断機構４２および大帯キャッチャ４４を概略的に示している。大帯切断機構４２は、切断位置に配置された束Ｔの下方に設けられ縦帯Ｋ2 を所定位置５５で切断する縦帯切断部５１と、束Ｔの図中手前側に設けられ横帯Ｋ1 を所定位置５８で切断する横帯切断部５２と、を有している。
【００３２】
縦帯切断部５１は、揺動軸５３ａを中心に揺動自在に設けられたアーム部材５３と、アーム部材５３の揺動の先端に回動自在に設けられたカッター５４と、アーム部材５３を揺動するとともにカッター５４を回転する図示しない駆動機構と、を有している。縦帯切断部５１（揺動軸５３ａ）は、アーム部材５３の揺動の途中でカッター５４が束Ｔの縦帯Ｋ2 に位置５５で作用するように位置決めされている。
【００３３】
同様に、横帯切断部５２は、揺動軸５６ａを中心に揺動可能に設けられたアーム部材５６と、アーム部材５６の先端に回動自在に設けられたカッター５７と、を有し、揺動の途中でカッター５７が横帯Ｋ1 の位置５８で作用するように位置決めされている。
【００３４】
従って、束Ｔが切断位置に配置され、縦帯切断部５１および横帯切断部５２が作動されると、横帯Ｋ1 および縦帯Ｋ2 がそれぞれ所定位置５８、５５で切断されるようになっている。
【００３５】
切断位置に配置された束Ｔの図中右側には、各切断部５１、５２により切断された縦帯Ｋ2 および横帯Ｋ1 をそれぞれ挟持して束Ｔから分離し、所定の収納待機位置へ配置する大帯キャッチャ４４が設けられている。大帯キャッチャ４４は、縦帯Ｋ2 をその切断位置５５から離れた位置で挟持するとともに挟持した縦帯Ｋ2 を束Ｔから分離する縦帯キャッチャ６１と、横帯Ｋ1 をその切断位置５８から離れた位置で挟持するとともに挟持した横帯Ｋ1 を束Ｔから分離する横帯キャッチャ６２と、を有している。
【００３６】
縦帯キャッチャ６１は、図示しないスライド機構により束Ｔから離れる方向（図中右側方向）にスライド可能に設けられたスライドアーム６３と、このスライドアーム６３と共働して縦帯Ｋ2 を挟持するキャッチアーム６４と、を有している。キャッチアーム６４は、図示しない回動機構により回転軸６５を中心にスライドアーム６３に対して回動自在に設けられている。そして、スライドアーム６３の先端部６３ａとキャッチアーム６４の回動の先端部６４ａとの間で縦帯Ｋ2 を挟持するようになっている。
【００３７】
同様に、横帯キャッチャ６２は、図示しないスライド機構により束Ｔから離れる方向（図中右側方向）にスライド可能に設けられたスライドアーム６６と、このスライドアーム６６と共働して横帯Ｋ1 を挟持するキャッチアーム６７と、を有している。キャッチアーム６７は、図示しない回動機構により回転軸６８を中心にスライドアーム６６に対して回動自在に設けられている。そして、スライドアーム６６の先端部６６ａとキャッチアーム６７の回動の先端部６７ａとの間で縦帯Ｋ2 を挟持するようになっている。
【００３８】
従って、各切断部５１、５２にて切断された縦帯Ｋ2および横帯Ｋ1は、それぞれ縦帯キャッチャ６１および横帯キャッチャ６２により挟持され、束Ｔから離れる方向に分離され、所定の収納待機位置へ載置部４１と平行であって且つ後述するスリット７１に対して直交する第１方向に延びて配置されるようになっている。
【００３９】
図５および図６は、大帯押込収納機構４６を概略的に示している。大帯押込収納機構４６は、大帯切断機構４２により切断されて大帯キャッチャ４４により分離された大帯Ｋを収納する大帯収納カセット４５と、大帯収納カセット４５のスリット７１内へ大帯Ｋを押し込むための押込装置７０と、押し込まれた大帯Ｋをスリット７１内の所定の収納位置（切り欠き７１ａ）へ整位すべく大帯収納カセット４５を所定の方向にスライド可能に保持するカセットキャリア７２と、を有している。尚、ここでは、収納待機位置に配置された縦帯Ｋ2 を大帯収納カセット４５内に収納するための構成について代表して示してある。
【００４０】
大帯収納カセット４５は、略直方体の筐体状に形成され、収納待機位置に配置された大帯Ｋの一側に対向配置された上面４５ａ（第１壁）、およびこの上面４５ａと略直交して設けられた側壁４５ｂ（第２壁）を有している。そして、上面４５ａには大帯Ｋと略直交する方向（第２方向）に延びた第１のスリットが形成され、側壁４５ｂには大帯Ｋおよび第１のスリットのそれぞれと略直交する方向（第３方向）に延び、第１のスリットに連結した第２のスリットが形成され、これら第１および第２のスリットによりスリット７１が形成されている。
【００４１】
スリット７１は、その一側に設けられたバックアップスプリング７３と他側に設けられたバックアップ７５とにより境界され、バックアップスプリング７３はスリット７１内に押し込まれた大帯Ｋを図中左側（バックアップ７５側）に向って押圧するように作用し、バックアップ７５はバックアップスプリング７３との間で大帯Ｋを挟持するとともに大帯Ｋの集積に伴って図中左側方向に移動するようになっている。また、スリット７１の下端であってバックアップ７５が設けられた他側には、後述する押込板が入れ子状態で収容されるとともに大帯Ｋを整位収納するための切り欠き７１ａが形成されている。
【００４２】
大帯収納カセット４５の図中手前側で隣接した位置には、大帯キャッチャ４４により収納待機位置へ配置された大帯Ｋを大帯収納カセット４５のスリット７１に押し込むための押込装置７０が配置されている。
【００４３】
押込装置７０は、収納待機位置に配置された大帯Ｋの上方（他側）で大帯Ｋの略中央位置に対向した初期位置（第１位置）からスリット７１内の所定位置に押込まれた作動位置（第２位置）へ挿入可能に設けられた押込部材としての押込板７４を有している。また、押込装置７０は、押込板７４をスリット７１と略平行な面内で略水平方向にスライド可能に取付けた移動ベース７６と、移動ベース７６を上下方向にスライド可能に取付けたガイド部材７８と、ガイド部材７８に対して移動ベース７６を上下方向にスライドする上下スライド機構８２と、移動ベース７６に対して押込板７４を略水平方向にスライドする水平スライド機構８４と、を備えた移動手段を有している。
【００４４】
押込板７４は、収納待機位置に配置された大帯Ｋをその略中央位置を下方に押し下げることによりスリット７１内に押し込むように作用する。つまり、押込板７４はその初期状態において大帯Ｋの上方に配置され、押込装置７０および大帯収納カセット４５の各部分は、押込板７４がスリット７１に平行な面内で上下左右方向に移動可能となるように位置決めされており、押込板７４を下方に移動することにより大帯Ｋがスリット７１内に押し込まれるようになっている。
【００４５】
押込板７４は、先細の先端を有する板状に形成され、その基端部が略水平方向に延びたスライドレール７７を介して移動ベース７６にスライド可能に取付けられている。移動ベース７６は、上下方向に延びたスライドレール７９を介してガイド部材７８にスライド可能に取付けられている。
【００４６】
上下スライド機構８２は、ガイド部材７８に沿って上下方向に延び且つ移動ベース７６を貫通したおねじとしてのシャフト８５と、移動ベース７６に固設され、シャフト８５と共働してボールねじとして作用するめねじとしてのナット８６と、を有している。シャフト８５の基端部には、プーリー８７、タイミングベルト８８、およびプーリー８９を介して可逆回転型のモータ９０が接続されている。
【００４７】
従って、モータ９０を回転すると、シャフト８５が所望の方向に回転され、ナット８６と共に移動ベース７６が上下方向に移動されるようになっている。尚、移動ベース７６は、図５および図６に示す初期位置から押込板７４をスリットの下端まで押し込んだ作動位置まで移動可能となっており、それぞれの位置（初期位置および作動位置）でセンサにより検知されるようになっている。
【００４８】
水平スライド機構８４は、移動ベース７６を貫通したスプラインシャフト９１と、スプラインシャフト９１に嵌入され取付ブラケット９２を介して移動ベース７６の上面に回転自在に取付けられたスプラインナット９３と、その基端部側がスプラインナット９３に固定され、その先端側に押込板７４の基端部の上方に突設されたピン７４ａをスライド可能に受け入れた溝９４ａを有するリンクアーム９４と、を有している。また、水平スライド機構８４は、可逆回転型のモータ９５と、モータ９５の回転軸にその基端部が固定されたモータアーム９６と、モータアーム９６の先端に突設されたピン９６ａをスライド可能に受け入れた溝９７ａをその先端側に有するリンクアーム９７と、を有し、リンクアーム９７の基端部がスプラインシャフト９１の基端部に固定されている。
【００４９】
従って、モータ９５を回転すると、モータアーム９６およびリンクアーム９７が揺動され、スプラインシャフト９１が回転される。スプラインシャフト９１が回転されると、スプラインナット９３が回転され、リンクアーム９４が揺動される。リンクアーム９４が揺動されると、ピン７４ａが溝９４ａ内でスライド移動され、押込板７４がスライドレール７７を介して移動ベース７６に対してスライドされる。尚、スプラインシャフト９１を貫通した移動ベース７６の孔は、スプラインシャフト９１の回動を許容するように余裕をもった大きさに形成されている。また、押込板７４は、図５および図６に示す初期位置から押込板７４の先端がスリット７１から外れた作動位置まで移動可能となっており、それぞれの位置（初期位置および作動位置）でセンサにより検知されるようになっている。
【００５０】
また、大帯収納カセット４５を搭載したカセットキャリア７２は、上述した切り欠き７１ａとともにこの発明の規制手段として作用する移動機構１０１により図中右方向に僅かに移動可能に設けられている。カセットキャリア７２の下端両縁側には、一対のスライドレール１０２が設けられ、カセットキャリア７２は、このスライドレール１０２を介して基台１００にスライド可能に取付けられている。
【００５１】
移動機構１０１は、カセットキャリア７２の図中右奥側に設けられた可逆回転型のモータ１０３と、モータ１０３の回転軸に取付けられたプーリー１０４と、カセットキャリア７２の図中左奥側に設けられたプーリー１０５と、プーリー１０４および１０５に巻回され、無端走行されるタイミングベルト１０６と、を有している。そして、タイミングベルト１０６の一部がカセットキャリア７２に固設され、タイミングベルト１０６が走行されることによりカセットキャリア７２が移動されるようになっている。尚、カセットキャリア７２は、図５および図６に示す初期位置から僅かに右側に移動した作動位置、つまりスリット７１内の最下端まで挿入された押込板７４が切り欠き７１ａに入れ子状態となる位置まで移動可能となっており、それぞれの位置（初期位置および作動位置）でセンサにより検知されるようになっている。
【００５２】
次に、上述した大帯押込収納機構４６の動作を制御する制御系について図７を用いて説明する。
大帯押込収納機構４６の制御系は、制御部１１０を有している。制御部１１０には、カセットキャリア７２が初期位置に配置されていることを検知するセンサ１１１、カセットキャリア７２が作動位置に配置されていることを検知するセンサ１１２、移動ベース７６が初期位置に配置されていることを検知するセンサ１１３、移動ベース７６が作動位置に配置されていることを検知するセンサ１１４、押込板７４が初期位置に配置されていることを検知するセンサ１１５、および押込板７４が作動位置に配置されていることを検知するセンサ１１６が接続されている。
【００５３】
また、制御部１１０には、カセット移動コントローラ１２１を介してモータ１０３が接続され、押込板移動コントローラ１２２を介してモータ９０およびモータ９５が接続されている。
【００５４】
従って、制御部１１０は、各センサ１１１〜１１６における検知結果に従って各モータ１０３、９０、９５の回転を制御し、大帯Ｋを大帯収納カセット４５内の所定の収納位置に収納するようになっている。
【００５５】
次に、上述した大帯処理装置４０の動作について、図８のフローチャートおよび図９乃至図１５の動作説明図を用いて詳細に説明する。尚、図９乃至図１５の動作説明図は、切断されて収納待機位置に配置された大帯Ｋを大帯収納カセット４５内に収納する場合の動作を説明するためのものである。
【００５６】
図８に示すように、大帯処理装置４０における処理動作は、大帯Ｋを切断して収納待機位置へ分離する大帯処理ステージと、収納待機位置に配置された大帯Ｋを大帯収納カセット４５内に収納する大帯収納ステージと、に大別される。
【００５７】
まず、取込み部Ａから大帯処理部Ｂに供給された束Ｔが所定の切断位置に配置されると、大帯切断機構４２により大帯Ｋが切断される（ステップ１）。そして、切断された大帯Ｋは、大帯キャッチャ４４により挟持されて束Ｔから分離され（ステップ２）、所定の収納待機位置へ配置される。
【００５８】
ところで、大帯Ｋが収納待機位置に配置された状態で押込板７４は図９に示すように大帯Ｋの上方の初期位置に配置されている。そして、移動ベース７６が初期位置から作動位置に移動されて押込板７４が図１０に矢印ａで示す方向に下降され（ステップ３）、押込板７４がスリット７１の最下端まで移動される。尚、この状態で、大帯Ｋは押込板７４により折り曲げられた状態でスリット７１内に押し込まれている。
【００５９】
次に、押込板７４がスリット７１の切り欠き７１ａに対して入れ子状態となるように、図１１に矢印ｂで示す方向にカセットキャリア７２が初期位置から作動位置へ僅かに移動され（ステップ４）、大帯Ｋが押込板７４とバックアップ７５との間で挟持される。
【００６０】
続いて、押込板７４が水平方向初期位置から作動位置へ移動されて図１２に矢印ｃで示す方向に引き抜かれ（ステップ５）、押込板７４がスリット７１から退避されるとともに大帯Ｋがバックアップスプリング７３とバックアップ７５との間で挟持され、所定の収納位置へ収納される。
【００６１】
そして、図１３に矢印ｄで示す方向にカセットキャリア７２が作動位置から初期位置へ移動され（ステップ６）、その後、スリット７１から引き抜かれた押込板７１が図１４に矢印ｅで示す方向に上下方向作動位置から初期位置へ上昇される（ステップ７）。
【００６２】
最後に、押込板７４が図１５に矢印ｆで示す方向に水平方向作動位置から初期位置へ移動され（ステップ８）、全ての部材が初期位置に戻されて、大帯Ｋの処理動作が終了される。
【００６３】
以上のように、本実施の形態に係る大帯処理装置によると、押込板により大帯をスリット内に押し込んだ後、押込板をスリットの切り欠きに対して入れ子状態としていることから、押し込んだ大帯を安定して収納できるとともに、規定枚数の大帯を収納できる。
【００６４】
また、押込板により大帯をスリット内に押し込んだ後、押込板をスリットの切り欠きに対して入れ子状態としてから押込板を大帯収納カセットの手前側に引き抜くため、一旦収納した大帯を掻き出すことがなくなり大帯によるジャムの発生を防止でき、大帯を確実に収納できる。
尚、この発明は、上述した実施の形態に限定されるものではなく、この発明の範囲内で種々変形可能である。
【００６５】
【発明の効果】
以上説明したように、この発明の結束帯処理装置は、上記のような構成および作用を有しているので、紙葉類を結束した結束帯を確実且つ安定して除去できる。
【図面の簡単な説明】
【図１】図１は、この発明の大帯処理装置が組み込まれた紙葉類処理装置を示す概略図。
【図２】図２は、この発明の大帯処理装置を示す斜視図。
【図３】図３は、図２の大帯処理装置に組み込まれた大帯切断機構、大帯キャッチャ、およびその周辺機器を示す概略図。
【図４】図４は、図２の大帯処理装置に組み込まれた大帯切断機構、大帯キャッチャ、およびその周辺機器を示す概略図。
【図５】図５は、図２の大帯処理装置に組み込まれた大帯押込収納機構を示す斜視図。
【図６】図６は、図２の大帯処理装置に組み込まれた大帯押込収納機構を示す概略図。
【図７】図７は、図５および図６の大帯押込収納機構の動作を制御する制御系を示すブロック図。
【図８】図８は、図２の大帯処理装置の動作を説明するためのフローチャート。
【図９】図９は、図５乃至図７の大帯押込収納機構の動作を説明するための図。
【図１０】図１０は、図５乃至図７の大帯押込収納機構の動作を説明するための図。
【図１１】図１１は、図５乃至図７の大帯押込収納機構の動作を説明するための図。
【図１２】図１２は、図５乃至図７の大帯押込収納機構の動作を説明するための図。
【図１３】図１３は、図５乃至図７の大帯押込収納機構の動作を説明するための図。
【図１４】図１４は、図５乃至図７の大帯押込収納機構の動作を説明するための図。
【図１５】図１５は、図５乃至図７の大帯押込収納機構の動作を説明するための図。
【符号の説明】
４０…大帯処理装置、
４２…大帯切断機構、
４４…大帯キャッチャ、
４５…大帯収納カセット、
４６…大帯押込収納機構、
７０…押込装置、
７１…スリット、
７１ａ…切り欠き、
７２…カセットキャリア、
７４…押込板、
８２…上下スライド機構、
８４…水平スライド機構、
１０１…移動機構。
【図１】
0003702037.tif 000002
【図２】
0003702037.tif 000003
【図３】
0003702037.tif 000004
【図４】
0003702037.tif 000005
【図５】
0003702037.tif 000006
【図６】
0003702037.tif 000007
【図７】
0003702037.tif 000008
【図８】
0003702037.tif 000009
【図９】
0003702037.tif 000010
【図１０】
0003702037.tif 000011
【図１１】
0003702037.tif 000012
【図１２】
0003702037.tif 000013
【図１３】
0003702037.tif 000014
【図１４】
0003702037.tif 000015
【図１５】
0003702037.tif 000016